(57)【要約】【課題】操作用の表示や、テレビジョン画像を見やすくする。【解決手段】第１発明では、操作装置の本体部５は、取り付けベース６を介して壁面１に取り付けられる。取り付けベース６は、壁面１を貫通する部材４の一部とスライド自在に係合する長孔６ｂを有しており、貫通部材４に対して取り付け位置が変更可能である。第２の発明では、本体部１０とテレビジョン受像部１１とが別体で、取り付けベース１２に対して本体部１０等の装着位置を入れ替えることが可能である。第３の発明では、取り付けベース２３が貫通部材４に対して上下向きが変更可能で、本体部２１とテレビジョン受像部２２との位置が入れ替え可能である。【選択図】　図１
2004053221.tif 000002
【特許請求の範囲】
【請求項１】
コードの挿通孔が形成された壁面に、前記挿通孔を貫通する貫通部材を介して取り付けられる取り付けベースと、
この取り付けベースの前面側に装着される本体部とを備え、
前記取り付けベースには、その壁面への取り付け位置が壁面に沿って変位しうるよう、前記貫通部材の一部とスライド自在に係合する長孔が形成されていることを特徴とする操作装置。
【請求項２】
請求項１に記載の操作装置において、
前記本体部には、テレビジョン受像部が組み込まれていることを特徴とする操作装置。
【請求項３】
コードの挿通孔が形成された壁面に、前記挿通孔を貫通する貫通部材を介して取り付けられる取り付けベースと、
この取り付けベースの前面側に互いに並列した状態で装着される本体部と、テレビジョン受像部とを備え、
前記本体部と前記テレビジョン受像部とは、前記取り付けベースに対して装着位置が入れ替え可能であることを特徴とする操作装置。
【請求項４】
コードの挿通孔が形成された壁面に、前記挿通孔を貫通する貫通部材を介して取り付けられる取り付けベースと、
この取り付けベースの前面側にそれぞれ設けられる本体部と、テレビジョン受像部とを備え、
前記取り付けベースは、壁面に対する上下取り付け向きを変更しうるよう、前記貫通部材に回転可能に設けられ、
前記本体部と前記テレビジョン受像部との少なくとも一方が、前記取り付けベースに対して上下いずれの向きでも着脱可能であることを特徴とする操作装置。
【請求項５】
請求項４に記載の操作装置において、
前記取り付けベースには、テレビジョン画像を上下反転して表示しうるテレビジョン受像部が組み込まれていることを特徴とする操作装置。
【請求項６】
コードの挿通孔が形成された壁面に、前記挿通孔を貫通する貫通部材を介して取り付けられ、前面側には操作装置の本体部が装着される取り付けベースであって、
前記操作装置の本体部に対応する周囲形状のフレームを備え、
前記フレームには、その壁面への取り付け位置が壁面に沿って変位しうるよう、前記貫通部材の一部とスライド自在に係合する長孔が形成されていることを特徴とする操作装置用取り付けベース。
【請求項７】
コードの挿通孔が形成された壁面に、前記挿通孔を貫通する貫通部材を介して取り付けられる取り付けベースであって、
操作装置の本体部と、これに並列するテレビジョン受像部との両者に対応する周囲形状のフレームを備え、
このフレームの前面側には、前記本体部と、前記テレビジョン受像部とを各別に装着するための装着部が設けられていることを特徴とする操作装置用取り付けベース。
【請求項８】
コードの挿通孔が形成された壁面に、前記挿通孔を貫通する貫通部材を介して取り付けられ、その前面側には、操作装置の本体部と、テレビジョン受像部とが設けられる取り付けベースであって、
壁面に対する上下取り付け向きを変更しうるよう、前記貫通部材に回転可能に設けられるフレームを備え、
このフレームには、前記本体部と前記テレビジョン受像部との少なくとも一方が、上下いずれの向きでも着脱が可能な装着部が形成されていることを特徴とする操作装置用取り付けベース。
【発明の詳細な説明】
【０００１】
【発明の属する技術分野】
本発明は、例えば、浴室の壁面に取り付けられる遠隔操作装置のような操作装置と、その取り付けベースとに関する。
【０００２】
【従来の技術】
浴室の壁面には、給湯装置を離れた場所から操作して浴槽内の湯水の温度や水位などを制御するために、リモコンと略称される遠隔操作装置が取り付けられる。この遠隔操作装置は、ケース内に基板などの各種電子部品が内蔵され、ケースの前面部には、操作ボタン等からなる操作部と、動作状態や設定状態などを表示する表示部とが設けられている。
【０００３】
従来、この遠隔操作装置を壁面に取り付ける場合、まず、壁面に信号線等のコードを通すための挿通孔が穿設され、この挿通孔には、前記のコードがステーパイプに通した状態で挿通される。
【０００４】
浴室内では、前記のステーパイプの突出端部が遠隔操作装置のケースの背面部に取り付けられるとともに、コードは、ステーパイプから遠隔操作装置のケース内部に引き込まれて、基板の入出力部等の所要部と接続される。
【０００５】
このようにステーパイプが取り付けられた遠隔操作装置は、ステーパイプが壁面外へ引っ張られた状態で固定されることにより、背面が浴室の壁面に密着した状態で取り付けられる。
【０００６】
【発明が解決しようとする課題】
ところで、この種の遠隔操作装置は、制御対象である給湯装置を換装したような場合、機能性を高めた新規のものに取り換えられることが多い。機能性を高めた遠隔操作装置の中には、テレビジョン画像を映し出すテレビジョン受像部が組み込まれたものがある。
【０００７】
しかしながら、従来の遠隔操作装置は、テレビジョン画像を映し出すことを予定していなかったので、比較的高い位置に取り付けられるのが普通であった。この高い位置に、前記のテレビジョン機能付きの遠隔操作装置が取り付けられると、テレビジョン画像は高い位置で映し出される。使用者は、通常、浴槽に浸かった姿勢でテレビジョン画像を鑑賞するから、テレビジョン画像を下から見上げることになって、画像が見にくい。
【０００８】
また、遠隔操作装置において動作状態を示す本来の表示についても、その表示位置が高い、あるいは左右一方に寄りすぎている等、最適の位置になくて、表示が見にくい場合もある。
【０００９】
一方、浴室の壁面には、コードとステーパイプとを通すための挿通孔が既に開設されており、この孔の位置は変わらないから、この挿通孔から大きく外れた位置に遠隔操作装置を取り付けることは、コード配線の見栄えが悪く、施工も煩雑である。
【００１０】
本発明は、浴室内のリモコンのような操作装置について、その壁面への取り付け位置が変更できるようにして、テレビジョン画像や、操作装置の表示を見やすくすることを主たる課題とする。
【００１１】
【課題を解決するための手段】
上述の課題を達成するために、本件の第１発明は、コードの挿通孔が形成された壁面に、前記挿通孔を貫通する貫通部材を介して取り付けられる取り付けベースと、この取り付けベースの前面側に装着される本体部とを備え、前記取り付けベースには、その壁面への取り付け位置が壁面に沿って変位しうるよう、前記貫通部材の一部とスライド自在に係合する長孔が形成されている操作装置を構成している。
【００１２】
上記の構成によれば、操作装置の本体部は、取り付けベースを介して、壁面に取り付けられる。この場合、コードの挿通孔を貫通する貫通部材に対して、取り付けベースの長孔部分をスライドさせることで、取り付けベースの取り付け位置は、長孔の長さ方向に変位し、これに伴って、操作装置の本体部の位置も変わる。これで本体部の表示を見やすい所に位置させることができる。
【００１３】
実施形態では、前記の長孔として、横方向の直線状の長孔を示しているが、長孔の方向や形状はこれに限定されるものではなく、Ｔ字形やＬ字形の長孔のように２方向の長孔部が結合したものであってもよいし、直線状もしくは屈曲した形状の長孔が複数本あってもよい。
【００１４】
操作装置の本体部は、前面側に操作ボタン等の操作部と、動作状態や設定状態などを表示する表示部とが設けられているものであればよいが、テレビジョン画像を映し出すテレビジョン受像部が組み込まれていてもよい。本体部にテレビジョン受像部が組み込まれている場合、この本体部の取り付け位置を、取り付けベースともども調整することで、テレビジョン画像を見やすくすることができる。
【００１５】
次に、本件の第２発明は、操作装置の本体部と、テレビジョン受像部とを別体に構成して、これらが取り付けベースを介して壁面に取り付けられるようにしたもので、すなわち、コードの挿通孔が形成された壁面に、前記挿通孔を貫通する貫通部材を介して取り付けられる取り付けベースと、この取り付けベースの前面側に互いに並列した状態で装着される本体部と、テレビジョン受像部とを備え、前記本体部と前記テレビジョン受像部とは、前記取り付けベースに対して装着位置が入れ替え可能である操作装置を構成している。
【００１６】
上記の構成のうち、本体部とテレビジョン受像部とは、上下互いに並列した状態で取り付けベースに装着されるものであってもよいし、左右に並列した状態で装着されるものであってもよい。
【００１７】
この第２発明では、本体部とテレビジョン受像部との装着位置を上下、もしくは左右に入れ替えることで、テレビジョン画像もしくは本体部の表示を見やすい所に位置させることができる。
【００１８】
本件の第３発明は、コードの挿通孔が形成された壁面に、前記挿通孔を貫通する貫通部材を介して取り付けられる取り付けベースと、この取り付けベースの前面側にそれぞれ設けられる本体部と、テレビジョン受像部とを備え、前記取り付けベースは、壁面に対する上下取り付け向きを変更しうるよう、前記貫通部材に回転可能に設けられ、前記本体部と前記テレビジョン受像部との少なくとも一方が、前記取り付けベースに対して上下いずれの向きでも着脱可能である操作装置を構成している。
【００１９】
この第３発明の構成のうち、本体部とテレビジョン受像部とが取り付けベースとは別体に構成されて、両者がそれぞれ取り付けベースに対して上下いずれの向きでも装着可能であってもよいし、本体部とテレビジョン受像部とのいずれか一方、例えば本体部が取り付けベースとは別体で、この本体部が取り付けベースに対して上下いずれの向きでも装着可能であってもよい。本体部とテレビジョン受像部とのいずれか一方が取り付けベースとは別体である場合、他方は取り付けベースに組み込まれる。
【００２０】
第３発明の操作装置では、取り付けベースを貫通部材を中心に１８０度回転させることで、取り付けベースの上下向きが変わり、本体部およびテレビジョン受像部の位置が入れ替わる。この場合、本体部では操作部や、表示部の表示が上下逆向きになり、テレビジョン受像部では、テレビジョン画像が上下逆向きになるが、これらの部分が取り付けベースに対して着脱が可能であれば、取り付けベースから取り外して、その上下向きを直した上で取り付けベースに装着すればよい。
【００２１】
テレビジョン受像部が、スイッチ操作等により表示を上下に反転しうるものである場合は、取り付けベースへの着脱による上下向きの手直しは不要であり、取り付けベースに一体に組み込めばよい。
【００２２】
この第３発明では、取り付けベースの上下向きの変更と、この取り付けベースに対する本体部やテレビジョン受像部の着脱による上下向きの手直しとにより、テレビジョン画像もしくは本体部の表示を見やすい所に位置させることができる。
【００２３】
前記の第１ないし第３の各発明の操作装置は、取り付けベースを含む構成となっているが、この取り付けベースは、操作装置を取り付けるための別の部材として構成することができる。この取り付けベースの前面側には、テレビジョン受像部を組み込まれた操作装置の本体部が装着される場合があるし、本体部とは別体に構成されたテレビジョン受像部が本体部とともに装着される場合がある。また、本体部およびテレビジョン受像部のいずれか一方が着脱自在に装着される場合もある。
【００２４】
【発明の実施の形態】
〔第１実施形態〕
図１ないし図４は、本発明の第１実施形態を示すもので、図１は第１実施形態に係る操作装置の分解斜視図で、ここでは、浴室内の壁面に取り付けられる遠隔操作装置を例示している。図２は、図１の装置の一部である取り付けベースの正面図、図３は、図１の装置の壁面への取り付け状態を示す部分断面図、図４は、図１の装置の取り付け位置を示す正面図である。
【００２５】
図１において、符号１は、本実施形態の操作装置が取り付けられる壁面を示し、この壁面１には、電源線やテレビジョン信号用の同軸ケーブルを含むコード２を挿通するための挿通孔３が開設されている。前記の電源線では、この実施形態の操作装置とその制御対象である被制御装置との通信における信号（以後、これを制御信号と呼ぶ）が電源電圧に重畳される。挿通孔３には、貫通部材として前記コード２を通すステーパイプ４が貫通して設けられる。
【００２６】
本実施形態の操作装置は、本体部５と、取り付けベース６とを備えている。本体部５は、図示しないが内部に基板などの各種電子部品が設けられたもので、前面部には、操作部を構成する各種の操作ボタン５ａ，５ａ…と、制御対象である給湯装置等の動作状態や設定状態などを表示する表示部５ｂとが設けられている。また、この本体部５には、テレビジョン画像を映し出すテレビジョン受像部７が組み込まれている。符号７ａはテレビジョン画面、７ｂはテレビジョン受像用の操作ボタンである。
【００２７】
取り付けベース６は、図２および図３にも示すように、本体部５の周囲形状に対応する矩形のフレーム６Ｆからなり、前面の周囲部分にはパッキン８が介装されるとともに、中央部には、中空ボルト状の結合体９が挿通される結合孔６ａが設けられている。結合体９は、取り付けベース６の背面側から前記の結合孔６ａに挿通されて、本体部５の背面部に螺合される。この結合体９の螺合により、取り付けベース６と本体部５とが結合される。
【００２８】
前記フレーム６Ｆの背面側上部には、横方向の長孔６ｂが形成されている。この長孔６ｂは、ステーパイプ４を挿通させるが、ステーパイプ４先端のフランジ４ａとは横方向スライド自在に係合するものである。この係合により、フレーム６Ｆは、ステーパイプ４に対して抜け止めされた状態で、ステーパイプ４に対して長孔６ｂの長さの範囲内で横方向変位が許容される。フレーム６Ｆは、ステーパイプ４が壁面１の外方に引っ張られた状態で固定されることにより、壁面１に密着した状態で取り付けられる。
【００２９】
なお、ステーパイプ４のフランジ４ａは、円形の周縁部分のうち、直径方向に対向する２部分が直線状に切り取られた形状で、この直線状の部分が、長孔６ｂの両側にあるガイド６ｃに接することで、フレーム６Ｆ全体の向きが規制されるようになっている。
【００３０】
ステーパイプ４に通されたコード２は、フランジ４ａ側の開口からフレーム６Ｆ内に引き込まれ、結合体９の中空内部を通じて、本体部５内に導入される。
【００３１】
上記の構成において、取り付けベース６と本体部５とは、結合体９により結合される。本体部５に結合された取り付けベース６は、ステーパイプ４により壁面１側に引き寄せられて、壁面１に密着した状態で固定される。
【００３２】
この場合、取り付けベース６はその長孔６ｂの範囲内で、すなわち図４に実線で示す位置から鎖線で示す位置まで、ステーパイプ４に対してスライドさせることができ、このスライドにより、取り付けベース６の取り付け位置が長孔６ｂの長さ方向に変位し、これに伴って、本体部５の位置も変わる。これでテレビジョン画像もしくは本体部５の表示を見やすい所に位置させることができる。
【００３３】
なお、上記の図示例では、取り付けベース６の上半部に横方向直線状の長孔６ｂを設けているが、長孔６ｂの方向や形状、形成位置はこれに限定されるものではなく、Ｔ字形やＬ字形の長孔のように２方向の長孔部が結合したものであってもよいし、緩やかに湾曲する長孔であってもよい。また、前記のような長孔を複数本設けてもよい。長孔が複数本ある場合は、いずれか１本の長孔を選択してそれにステーパイプ４を通せばよい。
【００３４】
また、本体部５と取り付けベース６とは、中空ボルト状の結合体９で結合するほか、ねじで結合してもよいし、本体部５と取り付けベース６とにそれぞれ弾力的に嵌合する部分を形成して、これらの嵌合部の嵌合により、結合されるようにしてもよい。
【００３５】
図示の本体部５では、下側に操作用の表示部５ｂや操作ボタン５ａが配置され、上部にテレビジョン受像部７が設けられているが、本体部５の左右一方側に操作用の表示部５ｂや操作ボタン５ａが、他方側にテレビジョン受像部７が設けられる配置としてもよい。
【００３６】
〔第２実施形態〕
図５ないし図９は、本発明の第２実施形態を示すもので、図５は第２実施形態に係る操作装置の分解斜視図、図６は、図５の装置の一部である取り付けベースの正面図、図７は、図５の装置の壁面への取り付け状態を示す断面図、図８は、図５の装置の取り付け状態を変えた場合の正面図、図９は、本体部と取り付けベースとの結合部の他の例を示す一部破断の断面図である。
【００３７】
この第２実施形態の操作装置は、浴室内の壁面に取り付けられる遠隔操作装置であって、図５に示すように、壁面１には、電源線やテレビジョン信号用の同軸ケーブルを含むコード２を挿通するための挿通孔３が開設され、この挿通孔３には、貫通部材として前記コードを通すステーパイプ４が貫通して設けられる。
【００３８】
この実施形態の操作装置は、図５ないし図７に示すように、本体部１０と、テレビジョン受像部１１と、取り付けベース１２とを備えている。本体部１０は操作専用の部分で、前面部には、操作部を構成する各種の操作ボタン１０ａと、制御対象である給湯装置等の動作状態や設定状態などを表示する表示部１０ｂとが設けられている。テレビジョン受像部１１は、前面のテレビジョン画面１１ａにテレビジョン画像を映し出すもので、テレビジョン画像用の操作ボタン１１ｂを有している。
【００３９】
本体部１０とテレビジョン受像部１１とは、ともに横長の箱形で同じ大きさに成形されている。本体部１０とテレビジョン受像部１１とには、それぞれ取り付けベース１２への装着用のねじ１３を通すためのねじ貫通孔１４が設けられている。
【００４０】
取り付けベース１２は、前面に本体部１０とテレビジョン受像部１１とが互いに上下に並列した状態で装着されるよう、上下に並列した本体部１０とテレビジョン受像部１１との周囲形状に対応する矩形のフレーム１２Ｆからなる。このフレーム１２Ｆの背面部中央には、ステーパイプ４がそのフランジ４ａにより抜け止めされた状態で挿通されている。フレーム１２Ｆの前面部には、周囲にパッキン１５が介装されるとともに、装着用ねじ１３のねじ孔１６を設けることで、本体部１０とテレビジョン受像部１１とを上下に並列した状態で装着するための装着部１２ａ，１２ｂが形成されている。これらの装着部１２ａ，１２ｂは、本体部１０とテレビジョン受像部１１とが同形同大であることに対応して、上下同一のものであり、したがって、各装着部１２ａ，１２ｂには、本体部１０とテレビジョン受像部１１のいずれも装着しうる。
【００４１】
フレーム１２Ｆの内側部分には、本体部１０やテレビジョン受像部１１との電気的接続を図るために、２種のコネクタ１７Ｌ，１７Ｒが設けられている。図示の場合、上下各装着部１２ａ，１２ｂにおいて左側に設けられているのがテレビジョン信号用のコネクタ１７Ｌであり、右側のものが、制御信号が重畳される電源線に対応するコネクタ１７Ｒである。これらのコネクタ１７Ｌ，１７Ｒには、ステーパイプ４から引き出されたコード２が、テレビジョン信号の同軸ケーブルと電源線とに分けられてそれぞれが接続される。
【００４２】
これらフレーム１２Ｆ側のコネクタ１７Ｌ，１７Ｒに対応して、本体部１０およびテレビジョン受像部１１のそれぞれの背面部には、コネクタ１８Ｌ，１８Ｒが設けられている。すなわち、テレビジョン受像部１１では、左側にテレビジョン用のコネクタ１８Ｌ、右側に電源用のコネクタ１８Ｒがあり、本体部１０では右側に電源および制御信号用のコネクタ１８Ｒがある。これらのコネクタ１８Ｌ，１８Ｒは、本体部１０やテレビジョン受像部１１を、取り付けベース前面１２の各装着部１２ａ，１２ｂに当て付けた場合、フレーム１２Ｆ側の対応するコネクタ１７Ｌ，１７Ｒに嵌合し、電気的に接続する。
【００４３】
上記の構成において、取り付けベース１２は、ステーパイプ４により壁面１側に引き寄せられて、壁面１に密着した状態で固定される。この取り付けベース１２の前面部には、本体部１０とテレビジョン受像部１１とが上下互いに並列した状態で当て付けられて、装着用ねじ１３により、取り付けベース１２に装着される。装着された本体部１０とテレビジョン受像部１１とにおいては、それぞれの背面側にあるコネクタ１８Ｌ，１８Ｒが、取り付けベース１２側の対応するコネクタ１７Ｌ，１７Ｒと嵌合するから、それぞれコード２に含まれる電源線や同軸ケーブルに接続される。
【００４４】
図５に図示する装着状態では、テレビジョン受像部１１が本体部１０の上位に位置するが、テレビジョン画像をより低い位置で見たい場合は、図８に示すように、テレビジョン受像部１１と本体部１０との装着位置を上下入れ替えて、テレビジョン受像部１１を本体部１０の下側に位置させればよい。
【００４５】
なお、上記の説明では、本体部１０やテレビジョン受像部１１はねじ１３で取り付けベース１２に装着されるが、取り付けベース１２への装着の仕方は、これに限定されるものではなく、例えば、本体部１０およびテレビジョン受像部１１の外形部分や、取り付けベース１２を構成する樹脂の弾力を利用して、着脱が行えるようにしてもよい。
【００４６】
その一例を図９に示す。図９のものでは、本体部１０やテレビジョン受像部１１の背面部に係合爪１９が形成される一方、取り付けベース１２のフレーム１２Ｆに係合受け部２０が形成されており、これら係合爪１９と係合受け部２０との係合により、本体部１０やテレビジョン受像部１１が取り付けベース１２に装着される。本体部１０やテレビジョン受像部１１を取り付けベース１２から取り外す場合は、係合受け部２０の突出部分を外側から押圧すればよい。
【００４７】
また、前記の構成では、本体部１０とテレビジョン受像部１１とは、上下互いに並列した状態で取り付けベース１２に装着されるが、左右に並列した状態で装着されるものであってもよい。本体部１０とテレビジョン受像部１１とが左右互いに並列した状態で取り付けベース１２に装着される場合は、その装着位置を左右入れ替えることで、テレビジョン受像部１１等の位置を横方向に変位させることができる。
【００４８】
さらに、図示の例では、コネクタにより電気的な接続を図るようにしているが、コネクタを用いずに、ステーパイプ４から引き出したコード２を長さに余裕がある状態で２つに分け、それぞれを本体部１０やテレビジョン受像部１１の内部に直接導入して接続するようにしてもよい。
【００４９】
〔第３実施形態〕
図１０ないし図１３は、本発明の第３実施形態を示すもので、図１０は第３実施形態に係る操作装置の分解斜視図、図１１は、図１０の装置の壁面への取り付け状態を示す断面図である。図１２は、図１０の装置の変形例を示す分解斜視図、図１３は、図１１の変形例に係る装置の壁面への取り付け状態を示す部分断面図である。
【００５０】
この第３実施形態の操作装置は、浴室内の壁面に取り付けられる遠隔操作装置であって、図１０に示すように、壁面１には、電源線やテレビジョン信号用の同軸ケーブルを含むコード２を挿通するための挿通孔３が開設され、この挿通孔３には、貫通部材として前記コードを通すステーパイプ４が貫通して設けられる。
【００５１】
この実施形態の操作装置は、図１０および図１１に示すように、本体部２１と、テレビジョン受像部２２と、取り付けベース２３とを備えている。
【００５２】
本体部２１は操作専用の部分で、前面部には、操作部を構成する各種の操作ボタン２１ａと、表示部２１ｂとが設けられている。テレビジョン受像部２２は、前面のテレビジョン画面２２ａにテレビジョン画像を映し出すもので、テレビジョン画像用の操作ボタン２２ｂを有している。
【００５３】
取り付けベース２３は、前面部が開放された箱形のフレーム２３Ｆからなる。このフレーム２３Ｆの前面開放部には、本体部２１が嵌め込みにより装着される本体部２１用の装着部２３ａと、テレビジョン受像部２２が嵌め込みにより装着されるテレビジョン受像部２２用の装着部２３ｂとが形成されている。これらの装着部２３ａ，２３ｂはいずれも、本体部２１やテレビジョン受像部２２が上下装着向きを変えて装着しうるよう、上下対称の形状になっている。フレーム２３Ｆの背面部中央には、ステーパイプ４がそのフランジ４ａにより抜け止めされた状態で挿通されており、フレーム２３Ｆは、壁面１に対する上下取り付け向きを変更しうるよう、ステーパイプ４に回転可能に設けられている。
【００５４】
ステーパイプ４から引き出されたコード２は、電源線とテレビジョン信号用の同軸ケーブルとからなるが、電源線のみからなる組と、電源線および同軸ケーブルからなる組とに分けられて、それぞれ長さに余裕がある状態で、本体部２１とテレビジョン受像部２２との各内部に直接導入して接続されている。なお、前記電源線は通信線を兼ねるもので、その電源電圧には、本体部２１とその制御対象である被制御装置との通信における信号（制御信号）が重畳される。
【００５５】
上記の構成において、取り付けベース２３は、ステーパイプ４により壁面１側に引き寄せられて、壁面１に密着した状態で固定される。この取り付けベース２３の前面側にある装着部２３ａ，２３ｂには、本体部２１とテレビジョン受像部２２とがそれぞれ嵌め込みにより装着される。
【００５６】
取り付けベース２３に本体部２１とテレビジョン受像部２２とが、図１０に図示する状態に装着されている場合は、テレビジョン受像部２２が本体部２１の上位に位置するが、テレビジョン画像をより低い位置で見たい場合は、まず、取り付けベース２３をステーパイプ４を中心に１８０度回転させればよい。これで、取り付けベース２３の上下向きが変わり、本体部２１およびテレビジョン受像部２２の位置が上下入れ替わる。
【００５７】
この場合、本体部２１では操作部や、表示部２１ｂの表示が上下逆向きになり、テレビジョン受像部２２でも、テレビジョン画像が上下逆向きになる。
【００５８】
そこで、次には、図１１に示すように、取り付けベース２３の各装着部２３ａ，２３ｂから本体部２１とテレビジョン受像部２２とを取り外した上で、それぞれ１８０度回転させて適正な上下向きとし、その向きで対応する装着部２３ａ，２３ｂに嵌め込めばよい。これで、本体部２１およびテレビジョン受像部２２の上下向きが修正されたことになり、本体部２１の表示やテレビジョン受像部２２の画像は正常に視認しうるようになる。
【００５９】
ところで、一般にテレビジョン受像機では、内部の信号処理を切り換えることで、画像表示を上下反転させることは可能である。上記第３実施形態に係る操作装置のテレビジョン受像部２２が、ボタン操作等により画像表示を上下に反転しうるように構成されている場合は、取り付けベース２３への着脱による上下向きの手直しは不要となる。
【００６０】
図１２および図１３は、第３実施形態の変形例として、上記のような、画像表示を上下に反転しうるテレビジョン受像部を採用した例を示している。
【００６１】
この変形例では、テレビジョン受像部２２は、前面にある表示反転用のボタン２２ｃの操作により画像表示が上下に反転する。このテレビジョン受像部２２は、取り付けベース２３の上下向きが変わっても、取り付けベース２３への着脱により上下向きの手直しをする必要がないので、取り付けベース２３に一体に組み込まれている。本体部２１については、取り付けベース２３への着脱により上下向きの手直しをする必要があるので、取り付けベース２３の対応する装着部２３ｂに対して着脱できるようになっている。
【００６２】
なお、タッチパネルのように表示部と操作部とを兼ねる部品は、内部の信号処理を切り換えることで、表示を上下反転させることは可能である。本体部２１がこのタッチパネルのような部品を備えたものである場合は、前記のテレビジョン受像部２２と同様、取り付けベース２３への着脱により上下向きの手直しは不要となる。このような表示を上下反転させることができる本体部は、取り付けベース２３に一体に組み込めばよい。
【００６３】
また、本体部２１が、前記のタッチパネルのような部品を有しない場合でも、これを取り付けベース２３に一体に組み込んでもよい。この本体部２１では、取り付けベース２３とともに１８０度の回転で上下逆さまになった際、操作ボタン等の機能を示す文字も上下逆さまになるが、その上下逆さまになった文字の上に、別に用意した反転時専用のラベルを貼付すればよい。このラベルは、操作装置の出荷時に製品に同梱される。
【００６４】
上記の第３実施形態およびその変形例では、取り付けベース２３として箱形のものを用い、本体部２１とテレビジョン受像部２２とは、この取り付けベース２３に嵌め込みにより装着される構成としたが、取り付けベース２３の形状や、本体部２１等の装着構造はこれに限定されるものではなく、取り付けベース２３を扁平なフレームで構成し、この扁平なフレームにねじにより本体部２１やテレビジョン受像部２２を装着するようにしてもよい。
【００６５】
また、図示のものでは、コード２を本体部２１およびテレビジョン受像部２２の各内部に直接導入して接続したが、コネクタにより電気的接続を図るようにしてもよい。
【００６６】
〔その他の実施形態〕
第１実施形態において、本体部５にはテレビジョン受像部７が組み込まれているが、第２実施形態や第３実施形態のように、操作専用の本体部と、テレビジョン受像部とに分離し、両者を上下に並列する状態で取り付けベース６に装着するようにしてもよい。この構成では、取り付けベース６の横位置が変わる上に、取り付けベース６に対する本体部とテレビジョン受像部との装着位置を上下入れ替え可能となるから、テレビジョン受像部等の位置調整が広い範囲で行える。
【００６７】
【発明の効果】
本発明は、取り付けベースを介して操作装置の本体部やテレビジョン受像部を壁面に取り付けるようにしたもので、第１発明では、ステーパイプのような貫通部材に対して、取り付けベースの取り付け位置を変えることができ、本体部の表示を見やすい所に位置させることができる。
【００６８】
第２の発明では、操作装置の本体部とテレビジョン受像部とが別体で、取り付けベースに対して本体部等の装着位置を入れ替えることで、テレビジョン画像もしくは操作用の表示を見やすい所に位置させることができる。
【００６９】
第３の発明では、取り付けベースが貫通部材に対して上下向きが変更可能で、取り付けベースの上下向きを変えることで、本体部とテレビジョン受像部との位置を入れ替えて、テレビジョン画像もしくは操作用の表示を見やすい所に位置させることができる。
【図面の簡単な説明】
【図１】本発明の第１実施形態に係る操作装置の分解斜視図。
【図２】図１の装置の一部である取り付けベースの正面図。
【図３】図１の装置の壁面への取り付け状態を示す部分断面図。
【図４】図１の装置の取り付け位置を示す正面図。
【図５】本発明の第２実施形態に係る操作装置の分解斜視図。
【図６】図５の装置の一部である取り付けベースの正面図。
【図７】図５の装置の壁面への取り付け状態を示す断面図。
【図８】図５の装置の取り付け状態を変えた場合の正面図。
【図９】本体部と取り付けベースとの結合部の他の例を示す一部破断の断面図。
【図１０】本発明の第３実施形態に係る操作装置の分解斜視図。
【図１１】図１０の装置の壁面への取り付け状態を示す断面図。
【図１２】図１０の装置の変形例を示す分解斜視図。
【図１３】図１１の変形例に係る装置の壁面への取り付け状態を示す部分断面図。
【符号の説明】
１　　壁面
２　　コード
３　　挿通孔
４　　ステーパイプ（貫通部材）
５　　本体部
６　　取り付けベース
６ｂ　長孔
７　　テレビジョン受像部
【図１】
2004053221.tif 000003
【図２】
2004053221.tif 000004
【図３】
2004053221.tif 000005
【図４】
2004053221.tif 000006
【図５】
2004053221.tif 000007
【図６】
2004053221.tif 000008
【図７】
2004053221.tif 000009
【図８】
2004053221.tif 000010
【図９】
2004053221.tif 000011
【図１０】
2004053221.tif 000012
【図１１】
2004053221.tif 000013
【図１２】
2004053221.tif 000014
【図１３】
2004053221.tif 000015